(57)【要約】      （修正有）【課題】光ケーブルの抗張力体をより強固に固定することのできる光コネクタケーブル及び金属部材を提供する。【解決手段】光コネクタケーブルは、光ケーブル２０と、金属部材４０と、樹脂部材３０とを備える。光ケーブル２０は、Ｘ軸方向に延びる光ファイバ２１と、光ファイバ２１に沿って設けられる抗張力繊維２２と、光ファイバ２１及び抗張力繊維２２を覆う外被２６とを有する。光ファイバ２１及び抗張力繊維２２が外被２６の一端２６ａから外に延在する。金属部材４０は、外被２６の一端２６ａから外に延在した抗張力繊維２２が巻き付けられる巻き付け構造４１を有する。樹脂部材３０は、外被２６の一端２６ａから外に延在した光ファイバ２１及び金属部材４０を保持し、金属部材４０の巻き付け構造４１が樹脂部材３０内に埋め込まれる。【選択図】図５
2019200385.tif 000002
【特許請求の範囲】
【請求項１】
第１方向に延びる光ファイバと、前記光ファイバに沿って設けられる抗張力体と、前記光ファイバ及び前記抗張力体を覆う外被とを有し、前記光ファイバ及び前記抗張力体が前記外被の一端から外に延在する、光ケーブルと、
前記外被の前記一端から外に延在した前記抗張力体が巻き付けられる巻き付け構造を有する金属部材と、
前記外被の前記一端から外に延在した前記光ファイバ及び前記金属部材を保持する樹脂部材と、
を備え、
前記金属部材の前記巻き付け構造は、前記樹脂部材内に埋め込まれている、
光コネクタケーブル。
【請求項２】
前記金属部材は、当該金属部材を前記外被に取り付けるための加締め構造を更に有し、前記加締め構造は前記樹脂部材内に埋め込まれている、
請求項１に記載の光コネクタケーブル。
【請求項３】
前記巻き付け構造は、前記第１方向と交差する第２方向に沿って延びる巻き付け本体と、前記巻き付け本体の前記外被の前記一端とは逆側に位置する縁から前記第１方向に沿って外に延びる連接部と、前記連接部の前記巻き付け本体とは逆側の縁に連接され前記第２方向に沿って延びる梁部とを有し、
前記連接部の前記第２方向における幅は、前記梁部の前記第２方向における幅よりも小さい、
請求項１又は請求項２に記載の光コネクタケーブル。
【請求項４】
前記抗張力体は、前記巻き付け本体の前記第１方向における両縁にわたって巻き付けられる、
請求項３に記載の光コネクタケーブル。
【請求項５】
前記巻き付け本体の前記第１方向における両縁の少なくとも一方の縁には、前記抗張力体を巻き付けるための切欠きが形成されている、
請求項３又は請求項４に記載の光コネクタケーブル。
【請求項６】
前記第１方向と交差する側壁を有し、前記樹脂部材のうち少なくとも前記巻き付け構造を覆う部分を収容する収容部材を更に備え、
前記巻き付け構造は、前記樹脂部材の前記外被の前記一端と対向する側面から露出する突出片を含み、前記突出片の露出端が前記収容部材の前記側壁に接触する、
請求項１〜請求項５の何れか１項に記載の光コネクタケーブル。
【請求項７】
前記光ファイバは複数の光ファイバであり、
前記樹脂部材は、前記複数の光ファイバそれぞれの位置を規定した状態で前記複数の光ファイバを覆うことによって、前記複数の光ファイバを保持する、
請求項１〜請求項６の何れか１項に記載の光コネクタケーブル。
【請求項８】
前記光ケーブルは、複数の電線を更に有し、
前記樹脂部材は、前記複数の電線それぞれの位置を規定した状態で前記複数の電線を覆うことによって、前記複数の電線を保持する、
請求項１〜請求項７の何れか１項に記載の光コネクタケーブル。
【請求項９】
第１方向に延びる光ファイバと前記光ファイバに沿って設けられる抗張力体と前記光ファイバ及び前記抗張力体を覆う外被とを有する光ケーブルであって、前記光ファイバ及び前記抗張力体が前記外被の一端から外に延在する光ケーブルを固定するための金属部材であって、
前記外被の前記一端から外に延在した前記抗張力体が巻き付けられる巻き付け構造と、
当該金属部材を前記外被に取り付けるための加締め構造と、
前記巻き付け構造と前記加締め構造との間に設けられ、前記巻き付け構造と前記加締め構造とを繋ぐ連結部と、
を備え、
前記巻き付け構造は、前記第１方向と交差する第２方向に沿って延びる巻き付け本体と、前記巻き付け本体の前記外被の前記一端とは逆側に位置する縁から前記第１方向に沿って外に延びる連接部と、前記連接部の前記巻き付け本体とは逆側の縁に連接され前記第２方向に沿って延びる梁部とを有する、金属部材。
【発明の詳細な説明】
【技術分野】
【０００１】
本発明は、光コネクタケーブル及び金属部材に関する。
【背景技術】
【０００２】
特許文献１及び特許文献２には、光ケーブルに加わる引っ張り張力を分散させるための抗張力繊維を光ケーブル内に設けた光モジュールが開示されている。これらの光モジュールでは、光ファイバに沿うように抗張力繊維が設けられており、抗張力繊維に適度な張力を与えるため、光ケーブルの端部において抗張力繊維の端部が端末固定具により固定されている。
【先行技術文献】
【特許文献】
【０００３】
【特許文献１】特開２０１３−１５２４２０号公報
【特許文献２】特開２０１４−０３８２７２号公報
【発明の概要】
【発明が解決しようとする課題】
【０００４】
特許文献１に記載の端末固定具では、抗張力繊維の固定は確実に行えるものの、抗張力繊維の巻き付け等の組み立て工程が煩雑になりやすく、抗張力繊維の固定を確実に行いつつ組み立て工程を簡易なものとすることができる端末固定具の実現が望まれている。また、特許文献２に記載の端末固定具は、組み立て工程は簡易にしやすいものの、光ケーブルが強い力で引っ張られた場合に抗張力繊維が端末固定具から外れてしまう虞がある。
【０００５】
本発明は、光ケーブルの抗張力体を強固に固定しつつ組み立て工程を簡易なものとすることができる光コネクタケーブル、及び、当該光コネクタケーブルに用いられる金属部材を提供することを目的する。
【課題を解決するための手段】
【０００６】
本発明の一態様に係る光コネクタケーブルは、光ケーブルと、金属部材と、樹脂部材とを備えている。光ケーブルは、第１方向に延びる光ファイバと、光ファイバに沿って設けられる抗張力体と、光ファイバ及び抗張力体を覆う外被とを有し、光ファイバ及び抗張力体が外被の一端から外に延在する。金属部材は、外被の一端から外に延在した抗張力体が巻き付けられる巻き付け構造を有する。樹脂部材は、外被の一端から外に延在した光ファイバ及び金属部材を保持し、金属部材の巻き付け構造が樹脂部材内に埋め込まれる。
【０００７】
本発明の一態様に係る金属部材は、第１方向に延びる光ファイバと当該光ファイバに沿って設けられる抗張力体と光ファイバ及び抗張力体を覆う外被とを有する光ケーブルを固定するための金属部材である。この金属部材は、外被の一端から外に延在した抗張力体が巻き付けられる巻き付け構造と、当該金属部材を外被に取り付けるための加締め構造と、巻き付け構造と加締め構造との間に設けられ、巻き付け構造と加締め構造とを繋ぐ連結部と、を備えている。巻き付け構造は、第１方向と交差する第２方向に沿って延びる巻き付け本体と、巻き付け本体の外被の一端とは逆側に位置する縁から第１方向に沿って外に延びる連接部と、連接部の巻き付け本体とは逆側の縁に連接され第２方向に沿って延びる梁部とを有する。
【発明の効果】
【０００８】
本発明の一態様に係る光コネクタケーブル及び金属部材によれば、光ケーブルの抗張力体を強固に固定しつつ組み立て工程を簡易なものとすることができる。
【図面の簡単な説明】
【０００９】
【図１】図１は、光コネクタケーブルの一実施形態を示す斜視図である。
【図２】図２は、図１に示す光コネクタケーブルの分解斜視図である。
【図３】図３は、図１に示す光コネクタケーブルにおけるＩＩＩ−ＩＩＩ線に沿った光ケーブルの断面図である。
【図４】図４は、端末固定具が設けられた光ケーブルの端末構造を示す斜視図である。
【図５】図５は、図４に示す光ケーブルの端末構造において、樹脂部材を点線で示した斜視図である。
【図６】図６の（ａ）は、図５に示す光ケーブルの端末構造の平面図である。図６の（ｂ）は、図５に示す光ケーブルの端末構造の側面図である。
【図７】図７は、光ケーブルの端部とは反対側から見た光ケーブルの端末構造を示す図である。
【図８】図８の（ａ）は、図４に示す光ケーブルの端末構造が収容部材に収容された状態を示す斜視図である。図８の（ｂ）は、収容部材に収容された光ケーブルの端末構造において、樹脂部材を点線で示した斜視図である。
【図９】図９の（ａ）及び図９の（ｂ）は、図８の（ｂ）に示す突出片の一部を拡大した拡大図である。
【図１０】図１０は、変形例に係る光コネクタケーブルにおける光ケーブルの端末構造を示す斜視図である。
【発明を実施するための形態】
【００１０】
［本願発明の実施形態の説明］
最初に本発明の実施形態の内容を列記して説明する。
【００１１】
本発明の一態様に係る光コネクタケーブルは、光ケーブルと、金属部材と、樹脂部材とを備えている。光ケーブルは、第１方向に延びる光ファイバと、光ファイバに沿って設けられる抗張力体と、光ファイバ及び抗張力体を覆う外被とを有し、光ファイバ及び抗張力体が外被の一端から外に延在する。金属部材は、外被の一端から外に延在した抗張力体が巻き付けられる巻き付け構造を有する。樹脂部材は、外被の一端から外に延在した光ファイバ及び金属部材を保持し、金属部材の巻き付け構造が樹脂部材内に埋め込まれる。
【００１２】
この光コネクタケーブルは、光ケーブルの抗張力体を巻き付ける巻き付け構造を有する金属部材と、光ファイバ及び金属部材を保持すると共に巻き付け構造をその中に埋め込む樹脂部材とを備えている。この場合、抗張力体に引っ張り方向の力が加わっても、抗張力体が巻き付け構造に巻き付けられることによって金属部材に固定され、その金属部材の巻き付け構造が更に樹脂部材に埋め込まれているので、抗張力体を強固に固定できる。また、金属部材のうち少なくとも巻き付け構造を樹脂部材内に埋め込む構成であることから、金属部材だけで抗張力体を強固に固定する構成に比べて、金属部材又はその巻き付け構造をより簡易な構成とすることができ、抗張力体の巻き付け等の組み立て工程を簡易なものとすることができる。
【００１３】
上記の光コネクタケーブルでは、金属部材は、当該金属部材を外被に取り付けるための加締め構造を更に有してもよく、加締め構造が樹脂部材内に埋め込まれていてもよい。この場合、加締め構造により金属部材を光ケーブルに対して所望の位置で保持することができ、その加締め構造が更に樹脂部材内に埋め込まれることで、金属部材による抗張力体の固定をより強固なものとすることができる。また、抗張力体を巻き付ける金属部材を加締め構造により光ケーブルに取り付けることになるため、抗張力体の巻き付け等の組み立て工程をより簡易なものとすることができる。
【００１４】
上記の光コネクタケーブルでは、巻き付け構造は、第１方向と交差する第２方向に沿って延びる巻き付け本体と、巻き付け本体の外被の一端とは逆側に位置する縁から第１方向に沿って外に延びる連接部と、連接部の巻き付け本体とは逆側の縁に連接され第２方向に沿って延びる梁部とを有してもよい。連接部の第２方向における幅は、梁部の第２方向における幅よりも小さくてもよい。この場合、巻き付け本体と梁部との間に樹脂部材の一部が入り込むので、抗張力体を介して金属部材に引っ張り方向の力が強く加わった場合であっても金属部材が樹脂部材から抜けてしまうのを抑制することができ、これにより、抗張力体を更に強固且つ確実に固定することができる。また、光ファイバが延びる第１方向に沿って、巻き付け本体、幅狭の連接部、幅広の梁部が設けられているため、抗張力体の巻き付け作業の際、幅の違う連接部や梁部を利用して抗張力体を仮留めするなどして、取り付け作業をより容易に行うことが可能となる。
【００１５】
上記の光コネクタケーブルでは、抗張力体は、巻き付け本体の第１方向における両縁にわたって巻き付けられてもよい。この場合、光ファイバに沿って設けられる抗張力体が延びる方向に沿って抗張力体を金属部材に巻き付けることができるため、抗張力体に所定の張力（テンション）を容易に付与することができる。また、抗張力体への張力付与を容易に行うことができるため、抗張力体に適切な張力が付与されて光ファイバをより適切に保護できる光コネクタケーブルとすることができる。
【００１６】
上記の光コネクタケーブルでは、巻き付け本体の第１方向における両縁の少なくとも一方の縁には、抗張力体を巻き付けるための切欠きが形成されてもよい。この場合、抗張力体の巻き付け作業時に、巻き付け本体の切欠きに抗張力体を保持できるので、巻き付け本体への巻き付けを容易に実現でき、抗張力体に付与された張力を維持したまま金属部材に抗張力体を取り付けることが可能となる。
【００１７】
上記の光コネクタケーブルは、第１方向と交差する側壁を有し、樹脂部材のうち少なくとも巻き付け構造を覆う部分を収容する収容部材を更に備えてもよい。上記の光コネクタケーブルでは、巻き付け構造は、樹脂部材の外被の一端と対向する側面から露出する突出片を含んでもよく、突出片の露出端が収容部材の側壁に接触してもよい。この場合、光ケーブルが引っ張られることによって金属部材にかかる引っ張り方向の力の一部が、突出片の露出端を介して収容部材に分散されるので、樹脂部材の変形を抑制して、光ケーブルの抗張力体をより強固に固定することができる。
【００１８】
上記の光コネクタケーブルでは、上述の光ファイバは複数の光ファイバであってもよく、樹脂部材は、複数の光ファイバそれぞれの位置を規定した状態で複数の光ファイバを覆うことによって、複数の光ファイバを保持してもよい。この場合、樹脂部材によって複数の光ファイバそれぞれの位置が規定されるので、複数の光ファイバの他の部材に対する位置決めを容易に実現できる。
【００１９】
上記の光コネクタケーブルでは、光ケーブルは、複数の電線を更に有してもよく、樹脂部材は、複数の電線それぞれの位置を規定した状態で複数の電線を覆うことによって、複数の電線を保持してもよい。この場合、樹脂部材によって複数の電線それぞれの位置が規定されるので、複数の電線の他の部材に対する位置決めを容易に実現できる。
【００２０】
本発明の一態様に係る金属部材は、第１方向に延びる光ファイバと当該光ファイバに沿って設けられる抗張力体と光ファイバ及び抗張力体を覆う外被とを有する光ケーブルを固定するための金属部材である。この金属部材は、外被の一端から外に延在した抗張力体が巻き付けられる巻き付け構造と、当該金属部材を外被に取り付けるための加締め構造と、巻き付け構造と加締め構造との間に設けられ、巻き付け構造と加締め構造とを繋ぐ連結部と、を備えている。巻き付け構造は、第１方向と交差する第２方向に沿って延びる巻き付け本体と、巻き付け本体の外被の一端とは逆側に位置する縁から第１方向に沿って外に延びる連接部と、連接部の巻き付け本体とは逆側の縁に連接され第２方向に沿って延びる梁部とを有する。
【００２１】
この金属部材の巻き付け構造は、抗張力体が巻き付けられる巻き付け本体と、巻き付け本体の外被の一端とは逆側に位置する縁から第１方向に沿って外に延びる連接部と、連接部の巻き付け本体とは逆側の縁に連接され第２方向に沿って延びる梁部とを有している。この場合、巻き付け本体の第１方向における両端にわたって抗張力体を巻き付ける際、連接部と梁部とにより抗張力体を挟む等してその緩みを抑制することができるため、光ケーブルの抗張力体をより強固に固定することが可能となる。また、光ファイバに沿って設けられる抗張力体の延びる方向に沿って、巻き付け本体、連接部、梁部が設けられているため、抗張力体を金属部材に巻き付ける作業等を容易に行いやすい。
【００２２】
［本願発明の実施形態の詳細］
本発明の実施形態に係る光コネクタケーブル及び光コネクタケーブルに用いられる金属部材の具体例を、以下に図面を参照しつつ説明する。なお、本発明はこれらの例示に限定されるものではなく、特許請求の範囲によって示され、特許請求の範囲と均等の意味及び範囲内でのすべての変更が含まれることが意図される。
【００２３】
図１及び図２を参照して一実施形態に係る光コネクタケーブル１について説明する。図１は、光コネクタケーブルの一実施形態を示す斜視図である。図２は、図１に示す光コネクタケーブルの分解斜視図である。図１及び図２に示すように、光コネクタケーブル１は、コネクタモジュール２及び光ケーブル２０を備えている。コネクタモジュール２は、光ケーブル２０の一方の端部に接続され、光ケーブル２０からの光信号を電気信号に変換して外部に出力すると共に、外部からの電気信号を光信号に変換して光ケーブル２０に出力する機能を有するモジュールである。コネクタモジュール２は、光電変換素子（不図示）、回路基板３、コネクタ４、収容部材５，６、ブーツ７、シール部材８及び端末固定具１０を備えている。なお、図２では、ブーツ７の図示は省略されている。
【００２４】
光電変換素子は、例えばＶＣＳＥＬ（Vertical Cavity SurfaceEmitting LASER）等の発光素子又はＰＤ（Photodiode）等の受光素子であり、回路基板３上に実装される。回路基板３の一端部には、光ケーブル２０が接続される。回路基板３の他端にはコネクタ４が接続される。光ケーブル２０から伝送された光信号が、光電変換素子によって電気信号に変換され、コネクタ４は当該電気信号を外部に出力する。外部から入力された電気信号が、コネクタ４及び回路基板３上の配線を介して、光電変換素子に入力される。光電変換素子によって電気信号が光信号に変換され、当該光信号が光ケーブル２０に入力される。
【００２５】
収容部材５，６は、回路基板３、端末固定具１０の一部及び光ケーブル２０の一端部を収容する金属製（例えばＳＵＳ製）の部材である。収容部材５，６は、回路基板３を上下方向から挟み込むように設けられる。収容部材５は、Ｘ軸方向に沿って延びる一対の側壁と、Ｘ軸方向と直交し、光ケーブル２０の端部に近い側に設けられる側壁を有している。収容部材６は、Ｘ軸方向に沿って延びる一対の側壁と、Ｘ軸方向（第１方向）と直交し、光ケーブル２０の端部に近い側に設けられる側壁６ａ，６ｂとを有している。つまり、回路基板３、端末固定具１０の一部及び光ケーブル２０の一端部は、収容部材５，６の側壁及び底壁によって囲まれた状態で、収容されている。ブーツ７は、収容部材５，６及び光ケーブル２０の一端部を覆う樹脂製の部材である。シール部材８は、収容部材５，６の光ケーブル２０側の端部に収容され、収容部材５，６が互いに嵌合した状態で生じる一部の隙間をシールするための樹脂製の部材である。
【００２６】
光ケーブル２０は、光ファイバ２１の大部分をその内部に収容すると共に、光ファイバ２１の先端部分を外部に露出させたケーブルである。光ケーブル２０は、Ｘ軸方向に沿って延在している。光ケーブル２０の一端部には、端末固定具１０が設けられている。端末固定具１０の詳細については後述する。なお、光ケーブル２０の他端部に同様の端末固定具１０を設けてもよい。
【００２７】
次に、図３〜図９を参照して、光コネクタケーブル１について、更に詳細に説明する。図３は、図１に示す光コネクタケーブルにおいてＩＩＩ−ＩＩＩ線に沿った光ケーブルの断面図である。図４は、端末固定具が設けられた光ケーブルの端末構造を示す斜視図である。図５は、図４に示す光ケーブルの端末構造において、樹脂部材を点線で示した斜視図である。図６の（ａ）は、図５に示す光ケーブルの端末構造の平面図である。図６の（ｂ）は、図５に示す光ケーブルの端末構造の側面図である。図７は、光ケーブルの端部とは反対側から見た光ケーブルの端末構造を示す図である。図８の（ａ）は、図４に示す光ケーブルの端末構造が収容部材に収容された状態を示す斜視図である。図８の（ｂ）は、収容部材に収容された光ケーブルの端末構造において、樹脂部材を点線で示した斜視図である。図９の（ａ）及び図９の（ｂ）は、図８の（ｂ）に示す突出片の一部を拡大した拡大図である。
【００２８】
図３に示すように、光ケーブル２０は、複数（ここでは４本）の光ファイバ２１、抗張力繊維２２、チューブ２３、複数（ここでは８本）の電線２４、チューブ２５、及び外被２６を有している。本実施形態では、複数の光ファイバ２１は、二行二列の二次元状に配列されている。なお、複数の光ファイバ２１は、円周上に沿って二次元状に配列されてもよく、また、一列のような一次元状に配列されてもよい。光ケーブル２０は、複数の光ファイバ２１に代えて、１本の光ファイバ２１を備えていてもよい。
【００２９】
抗張力繊維２２は、例えば極細径のアラミド繊維が束状に集合することによって構成された抗張力体である。アラミド繊維としては、例えば、ケブラー（登録商標）が用いられる。抗張力繊維２２は、光ファイバ２１に沿って設けられている。抗張力繊維２２は、所定の張力（テンション）が掛けられた状態で設けられている。これにより光ケーブル２０が、端部とは反対を向く引っ張り方向に引っ張られても、かかる応力がまずは抗張力繊維にかかるため、光ファイバ２１に応力が直接加わることが抑制され、光ファイバ２１が保護される。チューブ２３は、複数の光ファイバ２１及び抗張力繊維２２の周囲に設けられ、複数の光ファイバ２１及び抗張力繊維２２を所定の位置に保持する。
【００３０】
複数の電線２４は、チューブ２３の周囲に設けられる。複数の電線２４は、円周上に沿って二次元状に配列されている。チューブ２５は、電線２４の周囲に設けられる。チューブ２５は、複数の電線２４を所定の位置に保持する。外被２６は、チューブ２５の周囲に設けられる、樹脂製の保護部材である。つまり、外被２６は、光ファイバ２１及び抗張力繊維２２等を覆っている。このように、光ケーブル２０は、光ファイバ２１及び電線２４を有しており、光電気複合ケーブルとして構成されている。なお、光ケーブル２０は、１本の電線２４を備えていてもよい。あるいは、光ケーブル２０は、電線２４を備えていなくてもよい。
【００３１】
光ケーブル２０では、図５及び図６の（ａ），（ｂ）に示すように、外被２６の一端２６ａから、光ファイバ２１及び電線２４の一部が外に延在している。光ケーブル２０のうち光ファイバ２１及び電線２４が一端２６ａから外に延在している部分では、光ファイバ２１を取り囲むチューブ２３，２５及び外被２６が取り除かれている。光ファイバ２１及び電線２４の配列は、光ファイバ２１及び電線２４が外被２６等に取り囲まれている部分での光ファイバ２１及び電線２４の２次元状の配列から、光ファイバ２１及び電線２４が外に延在している端末部分において、異なる配列に移行する。光ファイバ２１及び電線２４の端末部分では、光ファイバ２１及び電線２４は例えば一次元状に配列されている。このような構成により、光ケーブル２０を回路基板３に容易に実装することができる。
【００３２】
複数の光ファイバ２１の端末部分では、互いに隣り合う光ファイバ２１同士が所定の間隔を有しており、複数の光ファイバ２１はＹ軸方向に沿って一列に配列されている。ここでは、隣り合う光ファイバ２１同士の間隔が互いに略等しくなるように、４本の光ファイバ２１は配列されている。複数の電線２４の端末部分では、互いに隣り合う電線２４同士が所定の間隔を有しており、複数の電線２４はＹ軸方向に沿って一列に配列されている。ここでは、Ｙ軸方向のいずれかの端から４本の電線２４において、隣り合う電線２４同士の間隔が互いに略等しくなるように、８本の電線２４は配列されている。本実施形態では、複数の電線２４は、複数の光ファイバ２１よりも上方（Ｚ軸方向の正方向）に位置している。なお、複数の光ファイバ２１及び複数の電線２４を所定の間隔で配列させるため、所定間隔の貫通孔が予め設けられた位置決め部品（例えば樹脂製部品）を別途設け、位置決め部品の貫通孔に光ファイバ２１又は電線２４等を配置して、整列させてもよい。
【００３３】
端末固定具１０は、樹脂部材３０及び金属部材４０を有している。金属部材４０は、光ケーブル２０（外被２６）に接続される金属製（例えばＳＵＳ製）の部材である。金属部材４０は、例えば、金属板を打ち抜き加工し、打ち抜かれた金属板を曲げ加工することによって形成される。金属部材４０は、例えばＸ軸方向において７．５ｍｍ〜９．０ｍｍ程度の長さを有している。金属部材４０は、当該金属部材４０の一部が外被２６の端部に加締められる（圧着される）ことによって、光ケーブル２０の一端部に固定される。また、金属部材４０には、外被２６の一端２６ａから外に延在した抗張力繊維２２が巻き付けられている。このように、金属部材４０が光ケーブル２０に固定され、抗張力繊維２２が金属部材４０に巻き付けられることによって、金属部材４０は、抗張力繊維２２の張力を維持した状態で、抗張力繊維２２を保持している。金属部材４０は、巻き付け構造４１、加締め構造４７、及び巻き付け構造４１と加締め構造４７とを連接する連結部４８を有している。加締め構造４７、連結部４８、及び巻き付け構造４１は、外被２６の端部から外に向かって、この順で設けられている。
【００３４】
巻き付け構造４１は、抗張力繊維２２を巻き付けるための構造である。巻き付け構造４１は、複数の電線２４よりも上方に配置されている。巻き付け構造４１は、複数の光ファイバ２１（電線２４）のうちの二次元状の配列から一次元状の配列へと移行する部分に対応する位置に設けられる。また、巻き付け構造４１は、樹脂部材３０内に埋め込まれている。つまり、巻き付け構造４１の周囲は、樹脂部材３０が接触した状態で樹脂部材３０に覆われている。巻き付け構造４１は、巻き付け本体４２、梁部４３、巻き付け本体４２と梁部４３とを連接する連接部４４、及び一対の突出片４５，４６を含んでいる。巻き付け本体４２、梁部４３、連接部４４、突出片４５，４６は、Ｚ軸方向と直交する平面（Ｘ−Ｙ平面）に同一面を形成するように設けられており、簡易な構成となっている。
【００３５】
巻き付け本体４２は、抗張力繊維２２が主に巻き付けられる部分である。巻き付け本体４２は、Ｙ軸方向（第２方向）に沿って延在している。巻き付け本体４２のＹ軸方向に沿って延びる一方の縁４２ａの略中央に、連結部４８の一端が連接する。巻き付け本体４２の縁４２ａとは反対側の縁４２ｂの略中央に、連接部４４の一端が連接する。縁４２ａには、一対の切欠き４２ｃ，４２ｄが形成されている。一対の切欠き４２ｃ，４２ｄは、連結部４８の一端の近傍に形成されている。縁４２ｂに切欠きを設けてもよい。本実施形態では、平面視において、縁４２ａ，４２ｂは、加締め構造４７のＹ軸方向における長さより長く、縁４２ｂは、縁４２ａよりも長い。
【００３６】
抗張力繊維２２は、Ｘ軸方向における巻き付け本体４２の両端の縁４２ａ，４２ｂにわたって巻き付けられている。抗張力繊維２２の一部は、Ｘ軸方向に対して所定の角度を有して、巻き付け本体４２に巻き付けられる。当該所定の角度は、抗張力繊維２２の一部の巻き付け方向とＸ軸方向とがなす角度であり、９０°よりも小さい。例えば、抗張力繊維２２の一部が、Ｘ軸方向に対して２０°〜８０°を有して巻き付け本体４２に巻き付けられる。この所定の角度は、巻き付け本体４２のＸ軸方向における幅、連接部４４のＹ軸方向における幅、及び連結部４８のＹ軸方向における幅に応じて異なる。
【００３７】
抗張力繊維２２の巻き付け手順の一例を説明すると、まず、外被２６の一端２６ａから外に延在する抗張力繊維２２が、１組の束に分離される。そして、抗張力繊維２２の一方の束が、切欠き４２ｃから縁４２ｂのうち梁部４３との突出片４６側の連接部分に向かって巻き付けられる。つまり、抗張力繊維２２の一方の束は、Ｘ軸方向に対して９０°よりも小さい角度を有して、巻き付け本体４２に巻き付けられる。抗張力繊維２２の一方の束は、巻き付け本体４２の上面に沿って引っ張られ、縁４２ｂの梁部４３との連接部分で折り返され、巻き付け本体４２の下面に沿って引っ張られ、切欠き４２ｃに戻ることによって、巻き付け本体４２に対して一周巻かれる。数周巻かれ、縁４２ｂの梁部４３との連接部分まで半周分巻かれた後に、抗張力繊維２２の一方の束は、連接部４４のＹ軸方向における両縁にわたって数周巻き付けられる。
【００３８】
一方、抗張力繊維２２の他方の束は、切欠き４２ｄから縁４２ｂのうち梁部４３との突出片４５側の連接部分に向かって巻き付けられる。つまり、抗張力繊維２２の他方の束は、Ｘ軸方向に対して９０°よりも小さい角度を有して、巻き付け本体４２に巻き付けられる。抗張力繊維２２の他方の束は、巻き付け本体４２の上面に沿って引っ張られ、縁４２ｂの梁部４３との連接部分で折り返され、巻き付け本体４２の下面に沿って引っ張られ、切欠き４２ｄに戻ることによって、巻き付け本体４２に対して一周巻かれる。数周巻かれた後、抗張力繊維２２の他方の束は、連結部４８のＹ軸方向における両縁にわたって数周巻き付けられる。抗張力繊維２２の巻き付け作業は、例えば作業員によって行われる。なお、抗張力繊維２２は、連接部４４のＹ軸方向における両縁にわたって巻き付けられなくてもよく、連結部４８のＹ軸方向における両縁にわたって巻き付けられなくてもよい。
【００３９】
突出片４５，４６は、巻き付け本体４２のＹ軸方向における両端に設けられる。突出片４５，４６は、互いに同様の構成を有しており、突出片４５，４６の構成は、巻き付け本体４２の略中央を通るＸ軸方向に延びる仮想線に対して対称である。突出片４５，４６は、Ｘ軸方向に延在しており、巻き付け本体４２のＸ軸方向における長さよりも長い。突出片４５，４６の一端２６ａに近い端部のＹ軸方向における幅は、突出片４５，４６の一端２６ａから離れた端部のＹ軸方向における幅よりも大きい。図７に示されるように、突出片４５，４６の一端２６ａに近い先端４５ａ，４６ａは、樹脂部材３０の側面３２ａから露出している。本実施形態では、先端４５ａ，４６ａ及び側面３２ａによって、Ｘ軸方向と直交する平面において同一面が構成されている。なお、図７では、光ケーブル２０の内部の構成の図示は省略されている。突出片４５，４６には、それぞれＺ軸方向に沿って突出片４５，４６を貫通する貫通孔４５ｂ，４６ｂが形成されている。
【００４０】
梁部４３は、Ｘ軸方向に沿って延在する連接部４４を介して巻き付け本体４２に接続されている。連接部４４の巻き付け本体４２に連接する一端部とは反対側の他端部が、梁部４３の略中央に連接している。梁部４３は、Ｙ軸方向に沿って延在している。梁部４３のＹ軸方向における幅は、連接部４４のＹ軸方向における幅よりも大きく、かつ、巻き付け本体４２のＹ軸方向における幅（縁４２ａ，４２ｂの長さ）よりも小さい。梁部４３のＸ軸方向における幅は、連接部４４のＸ軸方向における長さよりも小さい。梁部４３の一端２６ａから最も離れた縁は、Ｘ軸方向において、突出片４５，４６の先端４５ａ，４６ａとは反対側の先端と略同じ位置に位置している。このように、巻き付け構造４１（金属部材４０）では、巻き付け本体４２、梁部４３、連接部４４、及び突出片４５，４６に区画される空間が形成されている。
【００４１】
加締め構造４７は、金属部材４０を外被２６に加締めて光ケーブル２０に固定する部分である。加締め構造４７は、Ｘ軸方向において所定の長さを有し、Ｘ軸方向から見て円弧状に形成された断面を有する（図７参照）。加締め構造４７の内周面は、外被２６の外周と略同一の大きさを有する。つまり、Ｘ軸方向から見て、加締め構造４７と外被２６との中心は、互いに略同一である。加締め構造４７が外被２６の一端に嵌め込まれた状態で、加締め構造４７が例えば作業員によって加締められることによって、金属部材４０が光ケーブル２０に取り付けられる。
【００４２】
連結部４８は、巻き付け本体４２と加締め構造４７とを繋ぐ部分である。連結部４８は、Ｘ軸方向において、加締め構造４７よりも長い所定の長さを有している。連結部４８は、例えば、Ｘ軸方向において２．０ｍｍ〜３．５ｍｍ程度の長さを有している。連結部４８のＸ軸方向における一端は、加締め構造４７のＺ軸方向における上部に連接されており、連結部４８のＸ軸方向における他端は、巻き付け構造４１（巻き付け本体４２の縁４２ａ）に連接されている。図６の（ｂ）に示すように、連結部４８は、加締め構造４７の上部から巻き付け本体４２の縁４２ａに向けて、高さが低くなるように傾斜して延在している。言い換えると、巻き付け構造４１の高さは、加締め構造４７のうち連結部４８と連接する上部よりも低い。なお、本実施形態では、Ｚ軸方向における複数の光ファイバ２１と複数の電線２４との間隔は、複数の電線２４と巻き付け本体４２との間隔よりも大きい。
【００４３】
樹脂部材３０は、光ファイバ２１、電線２４、及び金属部材４０を保持する樹脂製の部材である。樹脂部材３０は、複数の光ファイバ２１それぞれの一部分、複数の電線２４それぞれの一部分、及び金属部材４０の大部分を覆う。金属部材４０のうち突出片４５，４６の先端４５ａ，４６ａ及び貫通孔４５ｂ，４６ｂの近傍を除いた部分が樹脂部材３０内に埋め込まれるように、樹脂部材３０は形成されている。樹脂部材３０は、例えば、所定の樹脂（例えばポリアミド樹脂）を射出成形することによって形成される。樹脂部材３０を形成する際には、まず、光ケーブル２０の一端側において、チューブ２３，２５及び外被２６を所定の長さ分取り除き、複数の光ファイバ２１、複数の電線２４、及び抗張力繊維２２を外被２６の一端２６ａから外に延在する。そして、抗張力繊維２２を金属部材４０（巻き付け構造４１）に巻き付ける。続いて、一端２６ａから外に延在した複数の光ファイバ２１及び複数の電線２４を所望の位置に保持する位置決め機構、及び貫通孔４５ｂ，４６ｂに係合するピンを有する金型（不図示）に、光ケーブル２０の一端部を配置する。このとき、光ファイバ２１、電線２４、及び金属部材４０は、金型内において、所定の位置に保持される。続いて、金型内に形成されている空隙に成形用樹脂を充填し、所定の冷却期間が経過した後、樹脂部材３０が形成された光ケーブル２０を取り出す。以上により、光ケーブル２０の一端部に樹脂部材３０が形成される。なお、複数の光ファイバ２１及び複数の電線２４を所定の間隔で配列させるため、所定間隔の貫通孔が予め設けられた位置決め部品（例えば樹脂製部品）を別途用意し、位置決め部品の貫通孔に光ファイバ２１又は電線２４等を配置してこれらを金型内に配置した後に射出成形等を行ってもよい。
【００４４】
樹脂部材３０は、光ファイバ保持部３１、本体部３２、及び加締め覆い部３３を含んでいる。加締め覆い部３３、本体部３２、及び光ファイバ保持部３１は、外被２６の一端部から外に向かって、この順で形成されている。
【００４５】
本体部３２は、金属部材４０の巻き付け構造４１及び連結部４８の一端部を覆う部分である。つまり、巻き付け構造４１及び連結部４８の一端部は、本体部３２内に埋め込まれている。図４に示すように本体部３２は、略直方体状に形成されている。本体部３２のＸ軸方向における長さは、巻き付け構造４１のＸ軸方向における長さ（突出片４５，４６それぞれにおける外側の縁同士の間隔）よりも長い。本体部３２のＹ軸方向における長さは、巻き付け構造４１のＹ軸方向における長さ（突出片４５の外縁と突出片４６の外縁との間隔）よりも長い。本体部３２の高さは、Ｚ軸方向における複数の光ファイバ２１と巻き付け構造４１との間隔よりも大きい。本体部３２の上面のうち外被２６の一端２６ａから遠い一端部は、角部を有しない形状に形成されている。本体部３２は、Ｘ軸方向と直交する側面３２ａ及び側面３２ｂを含んでいる。上述したように、外被２６の一端２６ａと対向する側面３２ａから、突出片４５，４６の先端４５ａ，４６ａが露出している。側面３２ｂの上部から複数の電線２４が外に向かって延びており、側面３２ｂの下部から光ファイバ保持部３１が外に向かって延びている。本体部３２は、複数の電線２４それぞれを覆っているので、複数の電線２４それぞれの位置を規定した状態で、複数の電線２４を保持している。
【００４６】
光ファイバ保持部３１は、複数の光ファイバ２１を保持する部分である。光ファイバ保持部３１は、Ｚ軸方向において所定の厚さを有し、板状に形成されている。例えば、光ファイバ保持部３１のＺ軸方向における厚さは、本体部３２の高さの（１／３）倍程度である。光ファイバ保持部３１のＸ軸方向における長さは、本体部３２のＸ軸方向における長さよりも短い。光ファイバ保持部３１のＹ軸方向における長さは、梁部４３のＹ軸方向における長さよりも長く、かつ、巻き付け構造４１のＹ軸方向における長さよりも短い。光ファイバ保持部３１の先端は、外被２６の一端２６ａに向かって凹んでおり、複数の光ファイバ２１は、光ファイバ保持部３１の先端の凹んだ部分から外に向かって延びている。本体部３２は、複数の光ファイバ２１それぞれを覆っているので、複数の光ファイバ２１それぞれの位置を規定した状態で、複数の光ファイバ２１を保持している。
【００４７】
加締め覆い部３３は、金属部材４０の加締め構造４７及び連結部４８の大部分を覆う部分である。加締め覆い部３３は、Ｘ軸方向と直交する断面が円形である円筒状に形成されている。加締め覆い部３３は、本体部３２の側面３２ａから、Ｘ軸方向に沿って外被２６の一端２６ａに向かう方向に延在している。加締め覆い部３３のＸ軸方向における長さは、加締め構造４７の一端２６ａとは離れた一端と、本体部３２の側面３２ａとの間隔に略等しい。加締め覆い部３３では、Ｘ軸方向から見て、外被２６及び加締め構造４７の中心と略等しい位置に加締め覆い部３３の中心が位置している。加締め覆い部３３の外径は、加締め構造４７の外径よりも大きい。
【００４８】
図８の（ａ）及び図８の（ｂ）に示すように、一端部に樹脂部材３０が形成された光ケーブル２０は、収容部材６に収容されている。具体的には、複数の光ファイバ２１（光ファイバ保持部３１）と複数の電線２４との間に回路基板３が挿入され、光ファイバ２１及び電線２４の端部が回路基板３に接続された状態で、回路基板３、光ファイバ保持部３１及び本体部３２が収容部材６に収容される。光ケーブル２０の一端部が収容部材６に収容された状態では、本体部３２は、収容部材６のＸ軸方向における一端に配置されている。本実施形態では、本体部３２の側面３２ａ及び側面３２ａと直交する両側面が、収容部材６の側壁に接触している。図８の（ｂ）及び図９に示すように、本体部３２の側面３２ａが側壁６ａ，６ｂに接触しており、金属部材４０の突出片４５，４６の先端４５ａ，４６ａも側壁６ａ，６ｂに接触している。なお、光ケーブル２０の一端部が収容部材６に収容され、シール部材８を本体部３２に接触させた後に、収容部材５が収容部材６に嵌合される（図１及び図２参照）。
【００４９】
次に、本実施形態に係る光コネクタケーブル１の引張強度の試験結果について説明する。まずは、実施例１として、光コネクタケーブル１のブーツ７のＹ軸方向における両側を治具によって挟み込み、コネクタモジュール２を固定した状態で、所定時間（例えば１分）、光ケーブル２０をコネクタモジュール２とは離れる方向に引っ張ることによって試験を行った。また、実施例２として、光コネクタケーブル１の構成のうち金属部材４０の突出片４５，４６の先端４５ａ，４６ａが収容部材６の側壁６ａ，６ｂに接触していない点が相違するものの他は同じ構成の光コネクタケーブルに対して実施例１と同様の試験を行った。一方、比較例として、光コネクタケーブル１において金属部材４０を備えていない構成、即ち抗張力繊維２２を樹脂部材３０内に直接配置した構成の光コネクタケーブルに対して実施例１と同様の試験を行った。以上の試験では、光ケーブル２０に対する引張強度を変化させ、樹脂部材３０の変形等の破損が生じる引張強度を計測した。
【００５０】
比較例１の光コネクタケーブルでは、抗張力繊維は樹脂部材のみによって固定されており、引張強度が４ｋｇｆ（キログラム重；kilogram-force）〜６ｋｇｆまでは樹脂部材によって抗張力繊維を保持できた。但し、その後、樹脂部材３０に破損が生じた。このとき、抗張力繊維に掛かった引っ張り方向の力によって、抗張力繊維が樹脂部材を破断させ樹脂部材から抜けてしまった。
【００５１】
これに対し、実施例１の光コネクタケーブルでは、引張強度が９ｋｇｆ〜１１ｋｇｆになっても、即ち引張強度が家庭用ケーブルの目標値になり得る１０ｋｇｆ以上になっても、樹脂部材３０に変形又は破損が観察されず、また抗張力繊維２２の抜け等は発生しなかった。また、実施例２の光コネクタケーブルでは、抗張力繊維２２に掛かった引っ張り方向の力が金属部材４０に全て加わり、引張強度が９ｋｇｆ〜１１ｋｇｆになっても、即ち引張強度が家庭用ケーブルの目標値になり得る１０ｋｇｆ以上になっても、樹脂部材３０によって抗張力繊維２２を保持できた。但し、実施例２の構成では、抗張力繊維２２の樹脂部材３０からの抜けは発生しなかったが、引張強度が強くなるに従って樹脂部材３０の一部に変形が生じてしまった。
【００５２】
以上、本実施形態に係る光コネクタケーブル１は、光ケーブル２０の抗張力繊維２２を巻き付ける巻き付け構造４１を有する金属部材４０と、光ファイバ２１及び金属部材４０を保持すると共に巻き付け構造４１をその中に埋め込む樹脂部材３０とを備えている。この構成によれば、抗張力繊維２２に引っ張り方向の力が加わっても、抗張力繊維２２が巻き付け構造４１に巻き付けられることによって金属部材４０に固定され、金属部材４０の巻き付け構造４１が更に樹脂部材３０に埋め込まれているので、抗張力繊維２２を強固に固定することができる。また、金属部材４０の巻き付け構造４１を樹脂部材３０内に埋め込む構成であることから、金属部材だけで抗張力繊維を強固に固定する従来の構成に比べて、金属部材４０又は巻き付け構造４１をより簡易な構成、一例としては１つの平面とすることができ、抗張力繊維２２の巻き付け等の組み立て工程を簡易なものとすることができる。
【００５３】
光コネクタケーブル１では、金属部材４０は、金属部材４０を外被２６に取り付けるための加締め構造４７を有しており、加締め構造４７が樹脂部材３０内に埋め込まれている。この構成によれば、加締め構造４７により金属部材４０を光ケーブル２０に対して所望の位置で保持することができ、加締め構造４７が更に樹脂部材３０内に埋め込まれることで、金属部材４０による抗張力繊維２２の固定をより強固なものとすることができる。また、抗張力繊維２２を巻き付ける金属部材４０を加締め構造４７により光ケーブル２０に取り付けることになるため、抗張力繊維２２の巻き付け等の組み立て工程をより簡易なものとすることができる。
【００５４】
光コネクタケーブル１では、巻き付け構造４１は、Ｙ軸方向に沿って延びる巻き付け本体４２と、巻き付け本体４２の外被２６の一端２６ａとは逆側に位置する縁４２ｂからＸ軸方向に沿って外に延びる連接部４４と、連接部４４の巻き付け本体４２とは逆側の縁に連接されＹ軸方向に沿って延びる梁部４３とを有している。連接部４４のＹ軸方向における幅は、梁部４３のＹ軸方向における幅よりも小さい。この構成によれば、巻き付け本体４２と梁部４３との間に樹脂部材３０の一部が入り込むので、抗張力繊維２２を介して金属部材４０に引っ張り方向の力が強く加わった場合であっても金属部材４０が樹脂部材３０から抜けてしまうのを抑制でき、これにより、抗張力繊維２２を更に強固且つ確実に固定することができる。また、光ファイバ２１が延びるＸ軸方向に沿って、巻き付け本体４２、幅狭の連接部４４、幅広の梁部４３が設けられているため、抗張力繊維２２の巻き付け作業の際、幅の違う連接部４４や梁部４３を利用して抗張力繊維２２を仮留めするなどして、取り付け作業をより容易に行うことが可能となる。
【００５５】
光コネクタケーブル１では、抗張力繊維２２は、巻き付け本体４２のＸ軸方向における両方の縁４２ａ，４２ｂにわたって巻き付けられている。この構成によれば、光ファイバに沿って設けられる抗張力繊維２２が延びる方向、即ちＸ軸方向に沿って抗張力繊維２２を金属部材４０に巻き付けることができるため、抗張力繊維２２に所定の張力を容易に付与することができる。また、抗張力繊維２２への張力付与を容易に行うことができるため、抗張力繊維２２に適切な張力が付与されて光ファイバ２１をより適切に保護できる光コネクタケーブル１とすることができる。
【００５６】
光コネクタケーブル１では、巻き付け本体４２の縁４２ａには、抗張力繊維２２を巻き付けるための切欠き４２ｃ，４２ｄが形成されている。この構成によれば、抗張力繊維２２の巻き付け作業時、巻き付け本体４２の切欠き４２ｃ，４２ｄに抗張力繊維２２を保持できるので、巻き付け本体４２への巻き付けを容易に実現でき、抗張力繊維２２に付与された張力を維持したまま金属部材４０に抗張力繊維２２を取り付けることが可能となる。
【００５７】
光コネクタケーブル１は、Ｘ軸方向と交差する側壁６ａ，６ｂを有し、樹脂部材３０のうち巻き付け構造４１を覆う本体部３２を収容する収容部材６を備えている。この光コネクタケーブル１では、巻き付け構造４１は、樹脂部材３０の外被２６の一端２６ａと対向する側面３２ａから露出する突出片４５，４６を含んでおり、突出片４５，４６の露出する先端４５ａ，４６ａが収容部材６の側壁６ａ，６ｂに接触する。この構成によれば、光ケーブル２０が引っ張られることによって金属部材４０にかかる引っ張り方向の力の一部が、突出片４５，４６の先端４５ａ，４６ａを介して収容部材６に分散されるので、樹脂部材３０の変形を更に抑制して、光ケーブル２０の抗張力繊維２２をより強固に固定することができる。
【００５８】
光コネクタケーブル１では、樹脂部材３０は、複数の光ファイバ２１それぞれの位置を規定した状態で複数の光ファイバ２１を覆うことによって、複数の光ファイバ２１を保持している。この構成によれば、樹脂部材３０によって複数の光ファイバ２１それぞれの位置が規定されるので、複数の光ファイバ２１の回路基板３の接続部に対する位置決めを容易に実現できる。
【００５９】
光コネクタケーブル１では、樹脂部材３０は、複数の電線２４それぞれの位置を規定した状態で複数の電線２４を覆うことによって、複数の電線２４を保持している。この構成によれば、樹脂部材３０によって複数の電線２４それぞれの位置が規定されるので、複数の電線２４の回路基板３の接続部に対する位置決めを容易に実現できる。
【００６０】
また、光コネクタケーブル１が備える金属部材４０の巻き付け構造４１は、抗張力繊維２２が巻き付けられる巻き付け本体４２と、巻き付け本体４２の外被２６の一端２６ａとは逆側に位置する縁４２ｂからＸ軸方向に沿って外に延びる連接部４４と、連接部４４の巻き付け本体４２とは逆側の縁に連接されＹ軸方向に沿って延びる梁部４３とを有している。この構成によれば、巻き付け本体４２の縁４２ａ，４２ｂにわたって抗張力繊維２２を巻き付ける際、連接部４４と梁部４３とにより抗張力繊維２２を挟む等してその緩みを抑制することができるため、光ケーブル２０の抗張力繊維２２をより強固に固定することができる。また、光ファイバ２１に沿って設けられる抗張力繊維２２の延びる方向に沿って、巻き付け本体４２、連接部４４、梁部４３が設けられているため、抗張力繊維２２を金属部材４０に巻き付ける作業等を容易に行いやすい。
【００６１】
ここで、図１０を参照して、変形例に係る光コネクタケーブルについて説明する。図１０は、変形例に係る光コネクタケーブルにおける光ケーブルの端末構造を示す斜視図である。図１０では、変形例に係る光コネクタケーブルの光ケーブル２０の端末構造において、樹脂部材３０を点線で示した斜視図が示されている。変形例に係る光コネクタケーブルは、抗張力繊維２２の巻き付け構造４１への巻き付け方法において、光コネクタケーブル１と主に相違する。以下の説明では、光コネクタケーブル１と相違する点を主に説明し、共通する点については、その説明を省略する場合がある。
【００６２】
図１０に示すように、抗張力繊維２２は、Ｘ軸方向と略平行に巻き付け本体４２に巻き付けられている。つまり、抗張力繊維２２が巻き付けられる方向のＸ軸方向に対する角度は、０に略等しい。巻き付け方法の一例を説明すると、まず、外被２６の一端２６ａから外に延在している抗張力繊維２２は、１組の束に分離される。そして、抗張力繊維２２の一方の束が、切欠き４２ｃから縁４２ｂのうち突出片４５側の梁部４３の近傍部分に向かって巻き付けられる。つまり、抗張力繊維２２の一方の束は、Ｘ軸方向に対して０°に略等しい角度を有して、巻き付け本体４２に巻き付けられている。
【００６３】
具体的には、抗張力繊維２２の一方の束は、切欠き４２ｃから巻き付け本体４２の上面に沿って引っ張られ、縁４２ｂの梁部４３の近傍部分で折り返され、巻き付け本体４２の下面に沿って一端２６ａに向かって引っ張られ、切欠き４２ｃに戻ることによって、巻き付け本体４２に対して一周巻かれる。抗張力繊維２２の一方の束は、切欠き４２ｃと縁４２ｂの梁部４３の近傍部分とにわたって数周巻き付けられる。抗張力繊維２２の他方の束は、抗張力繊維２２の一方の束と同様に、切欠き４２ｄと縁４２ｂのうち突出片４６側の梁部４３の近傍部分とにわたって、Ｘ軸方向に対して０°に略等しい角度を有して、巻き付けられている。
【００６４】
変形例に係る光コネクタケーブルにおいても、光コネクタケーブル１と同様の効果を奏することができる。しかも、変形例に係る光コネクタケーブルでは、光コネクタケーブル１と比べて、抗張力繊維２２の巻き付け方向がより抗張力繊維２２に掛けられている張力の方向に近いので、抗張力繊維２２の張力が変化することがより抑制される。また、抗張力繊維２２の巻き付け作業をより容易に行うことが可能となる。
【００６５】
以上、本実施形態に係る光コネクタケーブル及び光コネクタケーブルに用いられる金属部材について説明してきたが、本発明はこれらに限定されるものではなく、種々の変形を適用することができる。例えば、金属部材４０は、加締め構造４７及び連結部４８を備えていなくてもよい。金属部材４０の巻き付け構造４１は、梁部４３を備えていなくてもよい。巻き付け本体４２では、縁４２ａに代えて、縁４２ｂに切欠きが形成されてもよく、縁４２ａ，４２ｂの両方に切欠きが形成されてもよい。あるいは、巻き付け本体４２では、切欠き４２ｃ，４２ｄが形成されていなくてもよい。金属部材４０の加締め構造４７は、Ｘ軸方向から見て、円形状に形成されてもよい。また、樹脂部材３０は、光ファイバ保持部３１及び加締め覆い部３３の少なくとも一方を備えていなくてもよい。突出片４５，４６の先端４５ａ，４６ａは、樹脂部材３０の側面３２ａよりも突出してもよい。この場合、先端４５ａ，４６ａのみが側壁６ａ，６ｂに接触してもよい。
【符号の説明】
【００６６】
１…光コネクタケーブル、５，６…収容部材、６ａ，６ｂ…側壁、２０…光ケーブル、２１…光ファイバ、２２…抗張力繊維、２４…電線、２６…外被、２６ａ…一端、３０…樹脂部材、３２ａ…側面、４０…金属部材、４１…巻き付け構造、４２…巻き付け本体、４３…梁部、４４…連接部、４５，４６…突出片、４５ａ，４６ａ…先端、４７…加締め構造、４８…連結部。
【図１】
2019200385.tif 000003
【図２】
2019200385.tif 000004
【図３】
2019200385.tif 000005
【図４】
2019200385.tif 000006
【図５】
2019200385.tif 000007
【図６】
2019200385.tif 000008
【図７】
2019200385.tif 000009
【図８】
2019200385.tif 000010
【図９】
2019200385.tif 000011
【図１０】
2019200385.tif 000012